(57)【要約】【課題】  作業者が手の指を入れてディスクトレイの出し入れを手動によって行うことを可能にする比較的大きな開口がローダシャーシに開設されているにもかかわらず、開口を利用する必要のない通常時には、その開口からローダシャーシの内部に塵芥が侵入することを防ぐことのできるディスク装置の防塵構造を、部品を追加することなく提供する。【解決手段】  機構部品を搭載したローダシャーシ１０の下部に取付け取外し可能なダストカバー４０に、開口１３に着脱可能な閉じ板片８０を一体に設ける。あるいは、ローダシャーシ１０の上部に取付け取外し可能な上部部品に、開口１３に着脱可能な閉じ板片８０を一体に設ける。上部部品としては、補強板６０やシールドカバー７０などを選択することが可能である。手動操作の対象となる機構部品には、歯車３０を選択することが可能である。【選択図】        図１
2009093737.tif 000002
【特許請求の範囲】
【請求項１】
上下両面が開放した枠形のローダシャーシに、ディスクの光学的処理を行う機能要素と、ディスクをその光学的処理位置に対して搬入出するためのディスクトレイと、このディスクトレイを走行させて搬入出動作を行わせる機構部品とが搭載されていて、上記ディスクトレイは、ディスクを処理位置に搬入しきったときにその位置で動かないように位置決めされるように構成され、かつ、上記機構部品の手動操作を通じてディスクトレイの上記位置決め状態の解除が可能であって、上記ローダシャーシの枠板部に、手の指を入れて上記機構部品を手動操作することを許容する開口が開設されていると共に、上記ローダシャーシの下面がそのローダシャーシに取り付けられたダストカバーによって塞がれているディスク装置の防塵構造において、
上記開口を開閉するための閉じ板片を有し、その閉じ板片が、上記ダストカバーに連設されていて上記ローダシャーシに対する上記ダストカバーの取付け取外し作業を通じて上記開口に着脱されるように構成されていることを特徴とするディスク装置の防塵構造。
【請求項２】
上下両面が開放した枠形のローダシャーシに、ディスクの光学的処理を行う機能要素と、ディスクをその光学的処理位置に対して搬入出するためのディスクトレイと、このディスクトレイを走行させて搬入出動作を行わせる機構部品とが搭載されていて、上記ディスクトレイは、ディスクを処理位置に搬入しきったときにその位置で動かないように位置決めされるように構成され、かつ、上記機構部品の手動操作を通じてディスクトレイの上記位置決め状態の解除が可能であって、上記ローダシャーシの枠板部に、手の指を入れて上記機構部品を手動操作することを許容する開口が開設されていると共に、上記ローダシャーシの下面がそのローダシャーシに取り付けられたダストカバーによって塞がれ、かつ、上記ローダシャーシの上部に取り付けられた少なくとも１つの上部部品がそのローダシャーシに対して取外し可能になっているディスク装置の防塵構造において、
上記開口を開閉するための閉じ板片を有し、その閉じ板片が上記上部部品の１つに連設されていて、上記ローダシャーシに対する上記上部部品の取付け取外し操作を通じて上記閉じ板片が上記開口に着脱されるように構成されていることを特徴とするディスク装置の防塵構造。
【請求項３】
上記上部部品として、合成樹脂成形体でなる上記ローダシャーシの前後方向中間位置の上部に一体成形された横架部にビス止めされてその横架部を補強する帯板状の補強板が選択され、その補強板に上記閉じ板片が折り曲げて形成されている請求項２に記載したディスク装置の防塵構造。
【請求項４】
合成樹脂成形体でなる上記ローダシャーシの上部に横架部が一体成形されていて、
上記上部部品として、上記横架部の後側部分で上記ローダシャーシの上面を塞ぐ板金製のシールドカバーが選択され、そのシールドカバーが、係合爪とこの係合爪が係脱可能な被係合部とでなる第１係脱機構を介し上記ローダシャーシに対して取付け取外し可能になっていると共に、そのシールドカバーに上記閉じ板片が折り曲げて形成されている請求項２に記載したディスク装置の防塵構造。
【請求項５】
合成樹脂成形体でなる上記ローダシャーシの上部に横架部が一体成形されていて、
上記上部部品として、上記横架部の前側部分で上記ローダシャーシの上面を塞ぐ合成樹脂成形体でなるカバー蓋が選択され、そのカバー蓋が、係合爪とこの係合爪が係脱可能な被係合部とでなる第２係脱機構を介し上記ローダシャーシに対して取付け取外し可能になっていると共に、そのカバー蓋に上記閉じ板片が合成樹脂で一体成形されている請求項２に記載したディスク装置の防塵構造。
【請求項６】
上記機構部品が、ディスクトレイの搬入出動作の駆動源としてのモータとディスクトレイに具備されているラックとの間に介在されてモータの動力をディスクトレイに伝達する歯車である請求項１ないし請求項５のいずれか１項に記載したディスク装置の防塵構造。
【発明の詳細な説明】
【技術分野】
【０００１】
本発明は、ディスク装置の防塵構造に関する。特に、ディスク装置のローダシャーシに、作業者が手の指を入れてディスクトレイの出し入れを手動によって行うことを可能にする比較的大きな開口が開設されているにもかかわらず、その開口からローダシャーシの内部に塵芥が侵入することを防ぐための対策が講じられているディスク装置の防塵構造に関する。
【背景技術】
【０００２】
従来、ディスク装置のローダシャーシの開放されている下面を、そのローダシャーシに取り付けたダストカバーで塞いで防塵を行うことが公知である（たとえば、特許文献１参照）。また、媒体交換型データ記録装置やそれに類する光ディスクドライブ装置などに関して、光ディスクなどの記録媒体が出し入れされる本体ケースを密閉型とし、その本体ケースのフロントパネルに小孔でなる操作窓（イジェクトピン挿入孔）を開設しておいて、記録媒体の排出制御が不能になったような緊急時に、その操作窓からイジェクトピンとしての細い針金やドライバビットなどを差し込んで緊急事態を回避するという対策を講じることも行われている（たとえば、特許文献２、特許文献３参照）。
【特許文献１】実用新案登録第３１３０３１０号公報
【特許文献２】特開平１０−２７５４５３号公報
【特許文献３】特開平１１−１６７７５９号公報
【０００３】
上掲の特許文献１〜３のうち、特許文献１に見られるディスク装置では、ローダシャーシが矩形枠形に形成されていて、そのローダシャーシが同文献２や同文献３に示されているような小孔でなるイジェクトピン挿入孔を有していない。しかも、ローダシャーシの下面がダストカバーで塞がれているために、ローダシャーシの下面側からの操作でディスクトレイを手動で排出することができない。
【０００４】
そこで、枠形のローダシャーシの枠板部に、作業者が手の指を入れることのできる大きさの開口を開設し、その開口から手の指を入れてディスクトレイを手動で排出することを試みた。
【発明の開示】
【発明が解決しようとする課題】
【０００５】
しかしながら、特許文献１に示されているようなローダシャーシにダストカバーが取り付けられているディスク装置において、ローダシャーシの枠板部に形成した開口を通じて作業者がローダシャーシの内側へ手の指を入れることができるようにすると、その開口を比較的大きなサイズに形成しておくことが必要であることにより、その開口から塵芥がローダシャーシに侵入しやすくなる。そのため、ローダシャーシに搭載されているディスクの光学的処理を行う機能要素、たとえば光ピックアップの対物レンズやミラーといった光学部品のほかディスクの記録面などに塵芥が付着して、ディスク装置自体の記録再生性能が塵芥によって損なわれるという事態が起こり得る。
【０００６】
そこで、本発明は、作業者が手の指を入れてディスクトレイの出し入れを手動によって行うことを可能にする比較的大きな開口がローダシャーシに開設されているにもかかわらず、開口を利用する必要のない通常時には、その開口からローダシャーシの内部に塵芥が侵入することを防ぐことのできるディスク装置の防塵構造を、部品を追加することなく提供することを目的とする。
【０００７】
また、本発明は、閉じ板片を開口に対して容易に着脱することを可能にするための対策を講じたディスク装置の防塵構造に関する。
【課題を解決するための手段】
【０００８】
本発明に係るディスク装置の防塵構造は、上下両面が開放した枠形のローダシャーシに、ディスクの光学的処理を行う機能要素と、ディスクをその光学的処理位置に対して搬入出するためのディスクトレイと、このディスクトレイを走行させて搬入出動作を行わせる機構部品とが搭載されていて、上記ディスクトレイは、ディスクを処理位置に搬入しきったときにその位置で動かないように位置決めされるように構成され、かつ、上記機構部品の手動操作を通じてディスクトレイの上記位置決め状態の解除が可能であって、上記ローダシャーシの枠板部に、手の指を入れて上記機構部品を手動操作することを許容する開口が開設されていると共に、上記ローダシャーシの下面がそのローダシャーシに取り付けられたダストカバーによって塞がれている。
【０００９】
そして、上記開口を開閉するための閉じ板片を有し、その閉じ板片が、上記ダストカバーに連設されていて上記ローダシャーシに対する上記ダストカバーの取付け取外し作業を通じて上記開口に着脱されるように構成されている。
【００１０】
この構成であると、ダストカバーをローダシャーシに取り付けることによって閉じ板片が開口に装着されてその開口を塞ぐ。また、ダストカバーをローダシャーシから取り外すことによって、閉じ板片が開口から離脱して開口を開く。
【００１１】
ところで、ダストカバーはローダシャーシに取り付けられてその開放されている下面を塞ぐ部材である。そのため、ダストカバーをローダシャーシに結合する手段が、ローダシャーシの下部に設けられがちであり、そのようにローダシャーシの下部に対して作業を行うことを要する結合手段を使ってダストカバーをーダシャーシに対して取り付けたり取り外したりする作業を通じて閉じ板片を開口に着脱するのは一般的に比較的面倒な作業になりやすい。この作業性を改善するためには、ローダシャーシの上部に対して作業を行うだけで閉じ板片が開口に着脱されるようにすることが望ましい。
【００１２】
本発明は、そのような要求にも応え得るものである。すなわち、本発明に係る他のディスク装置の防塵構造は、上下両面が開放した枠形のローダシャーシに、ディスクの光学的処理を行う機能要素と、ディスクをその光学的処理位置に対して搬入出するためのディスクトレイと、このディスクトレイを走行させて搬入出動作を行わせる機構部品とが搭載されていて、上記ディスクトレイは、ディスクを処理位置に搬入しきったときにその位置で動かないように位置決めされるように構成され、かつ、上記機構部品の手動操作を通じてディスクトレイの上記位置決め状態の解除が可能であって、上記ローダシャーシの枠板部に、手の指を入れて上記機構部品を手動操作することを許容する開口が開設されていると共に、上記ローダシャーシの下面がそのローダシャーシに取り付けられたダストカバーによって塞がれ、かつ、上記ローダシャーシの上部に取り付けられた少なくとも１つの上部部品がそのローダシャーシに対して取外し可能になっているディスク装置の防塵構造において、上記開口を開閉するための閉じ板片を有し、その閉じ板片が上記上部部品の１つに連設されていて、上記ローダシャーシに対する上記上部部品の取付け取外し操作を通じて上記閉じ板片が上記開口に着脱されるように構成されている。
【００１３】
この構成であると、上部部品をローダシャーシに対して取り付けたり取り外したりするだけで、閉じ板片が開口に対して着脱されるようになる。そして、上部部品はローダシャーシの上部に取り付けられる部材であるので、ローダシャーシの上部に対して作業を行うだけで、容易に、ローダシャーシに取り付けたりローダシャーシから取り外したりすることができる。
【００１４】
本発明では、上記上部部品として、合成樹脂成形体でなる上記ローダシャーシの前後方向中間位置の上部に一体成形された横架部にビス止めされてその横架部を補強する帯板状の補強板を選択することが可能であり、その場合には、その補強板に上記閉じ板片を折り曲げて形成しておくことが、必要部品の増加を来さないという観点から有利である。
【００１５】
また、本発明では、合成樹脂成形体でなる上記ローダシャーシの上部に横架部が一体成形されていて、上記上部部品として、上記横架部の後側部分で上記ローダシャーシの上面を塞ぐ板金製のシールドカバーを選択し、そのシールドカバーが、係合爪とこの係合爪が係脱可能な被係合部とでなる第１係脱機構を介し上記ローダシャーシに対して取付け取外し可能になっていると共に、そのシールドカバーに上記閉じ板片が折り曲げて形成されているという構成を採用することが可能である。この発明において、上記横架材は、ディスククランパーを保持することに活用されたりする。この発明においても、閉じ板片が板金製のシールドカバー折り曲げて形成しておくことが、必要部品の増加を来さないという観点から有利である。
【００１６】
本発明では、合成樹脂成形体でなる上記ローダシャーシの上部に横架部が一体成形されていて、上記上部部品として、上記横架部の前側部分で上記ローダシャーシの上面を塞ぐ合成樹脂成形体でなるカバー蓋が選択され、そのカバー蓋が、係合爪とこの係合爪が係脱可能な被係合部とでなる第２係脱機構を介し上記ローダシャーシに対して取付け取外し可能になっていると共に、そのカバー蓋に上記閉じ板片が合成樹脂で一体成形されている、という構成を採用することも可能である。この発明においても、上記横架材は、ディスククランパーを保持することに活用されたりする。また、閉じ板片がカバー蓋に合成樹脂で一体成形されていることが、必要部品の増加を来さないという観点から有利である。
【００１７】
本発明において、上記機構部品は、ディスクトレイの搬入出動作の駆動源としてのモータとディスクトレイに具備されているラックとの間に介在されてモータの動力をディスクトレイに伝達する歯車である、という構成を採用することが可能である。
【発明の効果】
【００１８】
以上のように、本発明によれば、作業者が手の指を入れてディスクトレイの出し入れを手動によって行うことを可能にする比較的大きな開口がローダシャーシに開設されているとしても、その開口を利用する必要のない通常時には、ダストカバーや上部部品がローダシャーシに取り付けられ、かつ、それらに一体に設けられている閉じ板片が開口に装着されているので、ローダシャーシの内部に塵芥が侵入することが防止される。また、ダストカバーや上部部品とは別部品としての閉じ板片を用いないことが部品削減の観点から好ましい場合において、閉じ板片を取り外して開口を開く必要が生じたときには、ダストカバー又は上部部品をローダシャーシを取り外すだけで、同時に閉じ板片も開口から離脱するので便利である。特に、上部部品に閉じ板片を一体に設けたものでは、ローダシャーシの上部に対する作業を行うだけで閉じ板片を開口に対して容易に着脱することが可能になる。したがって、この場合には、ダストカバーに閉じ板片を設ける場合に比べて、閉じ板片を開口に着脱するときの作業性が改善されるという効果が発揮される。
【発明を実施するための最良の形態】
【００１９】
図１は本発明の実施形態に係る防塵構造を備えたディスク装置の概略分解斜視図であり、図２は同防塵構造に採用されているダストカバーの概略斜視図である。
【００２０】
図１において、１０は矩形枠形の合成樹脂成形体でなるローダシャーシ、２０はディスクトレイを、それぞれ示している。ローダシャーシ１０はその上面と下面とが開放されている。また、ローダシャーシ１０には、ディスク（不図示）の光学的処理を行う機能要素（不図示）と、ディスクをその光学的処理位置に対して搬入出するための上記ディスクトレイ２０と、このディスクトレイ２０を走行させて搬入出動作を行わせる機構部品とが搭載されている。上記機能要素には、たとえば、対物レンズやミラーといった光学系及び動作制御のためのコイルなどを備える光ピックアップが相当する。また、上記機構部品には、ディスクトレイ２０の走行駆動源としてのモータやそのモータの動力をディスクトレイに伝達するための歯車列の歯車３０、光ピックアップの走行駆動源としてのモータ、ディスクを回転させるターンテーブルやその回転駆動源としてのモータなどのほか、ディスクを上記光ピックアップによる光学的処理位置に搬入しきったときにその位置で動かないように位置決めするためのカム機構などが含まれている。そして、このカム機構によるディスクトレイ２０の位置決め状態は、通常時における電動制御によって解除することができるほか、上記機構部品の歯車列に含まれる歯車３０を作業者が手の指で直接に所定方向に回転させることによっても解除することができる。
【００２１】
ローダシャーシ１０の下面側の開放口は、ローダシャーシ１０にダストカバー４０を取り付けることによって塞がれている。図２のように、図例のダストカバー４０は、有底箱形の合成樹脂成形体でなる。ダストカバー４０は、図１に示した取付け取外し機構５０の作用を介しローダシャーシ１０の下部に対して取付け取外し可能である。図例の取付け取外し機構５０は、ダストカバー４０の周囲複数箇所に一体に立上り状に設けられているばね性を備えたフック５１と、ローダシャーシ１０の外周複数箇所に張出し状に設けられた取付け片５２とによって構成されている。そして、ダストカバー４０をローダシャーシ１０に取り付けるときには、複数の上記取付け片５２を複数箇所の上記フック５１の相互間に押し込んでそれらのフック５１を複数の取付け片５２に各別に乗り上がらせるという作業が行われる。これに対し、ダストカバー４０をローダシャーシ１０から取り外すときには、作業者が手の指で複数のフック５のそれぞれを外側に向けて弾性変形させて複数の取付け片５２を離脱させた後、それらの取付け片５２を複数のフック５からその上方へ引き出すという作業が行われる。
【００２２】
ローダシャーシ１０には、その上面の開放部分を横切る横架部１２が合成樹脂で一体成形されている。この横架部１２にはクランパーが保持されている。クランパー（図に現れていない）は、上記したターンテーブルに載架されたディスクが、ターンテーブルの上昇動作を通じて持ち上げられてきたときにそのディスクをターンテーブルに押し付け、そのターンテーブルと共働してディスクを回転可能にクランプする役割を果たす。
【００２３】
ローダシャーシ１０の上部には、少なくとも１つの上部部品を取付け取外し可能となっている。図例のディスク装置において、上部部品には、上記横架部１２に長手方向の１箇所又は複数箇所でビス止めされてその横架部１２を補強する板金で作られた帯板状の補強板６０のほか、上記横架部１２の後側部分でローダシャーシ１０の上面を塞ぐ板金製のシールドカバー７０や、上記横架部１２の前側部分でローダシャーシ１０の開放された上面を塞ぐ合成樹脂成形体でなるカバー蓋（不図示）などが含まれる。
【００２４】
上記シールドカバー７０は、ローダシャーシ１０の複数箇所に立上り状に設けられた係合爪５４と、シールドカバー７０の複数箇所に設けられた孔部でなる被係合部５５とによって構成された第１係脱機構５３を介してローダシャーシ１０に対して取付け取外し可能である。すなわち、シールドカバー７０をローダシャーシ１０に取り付けるときには、シールドカバー７０側の複数箇所の被係合部５５をローダシャーシ１０側の複数の係合爪５４に各別に押し込んで係合させるという作業が行われる。これに対し、シールドカバー７０をローダシャーシ１０から取り外すときには、弾性変形させた複数の係合爪５４から各別に複数の被係合部５５を引き抜くという作業が行われる。
【００２５】
また、カバー蓋は、ローダシャーシ１０に立上り状に設けられた係合爪５７とこの係合爪５７が係脱可能な被係合部（不図示）とでなる第２係脱機構（不図示）を介しローダシャーシ１０に対して取付け取外し可能になっている。
【００２６】
以上の構成を備えるディスク装置において、ローダシャーシ１０にダストカバー４０と、シールドカバー７０と、カバー蓋とが取り付けられていると、ローダシャーシ１０の上面や下面がそれらによって塞がれてしまう。一方、ディスクを処理位置に搬入しきっているディスクトレイ２０は、上記したカム機構によって動かないようにその位置に位置決めされている。そのため、機構部品の歯車列に含まれる歯車３０を手動操作してディスクトレイ２０の位置決め状態を解除することはできなくなっている。
【００２７】
そこで、この実施形態では、ローダシャーシ１０の側面の枠板部１１に比較的大きな開口１３を開設してあり、作業者はこの開口１３から手の指を入れて上記歯車３０を所定方向に手動で回転させてディスクトレイ２０の位置決め状態を解除することができるようにしてある。
【００２８】
しかし、ローダシャーシ１０の側面の枠板部１１に比較的大きな開口１３が開設されていると、通常時にその開口１３から塵芥がローダシャーシ１０の内部に侵入して光ピックアップなどの機能要素の性能を損なわせ、それによってディスク装置自体の記録再生性能が塵芥によって損なわれるおそれがある。
【００２９】
そこで、この実施形態では、図２に示したように、ダストカバー４０の周囲の１箇所に閉じ板片８０を合成樹脂で一体成形して立ち上げてある。そして、ダストカバー４０をローダシャーシ１０に既述のように取り付けることによって、同時にその閉じ板片８０が図１のように上記開口１３を塞ぐ位置に装着されるようにしてある。この実施形態では、図３に示したように、ローダシャーシ１０側の開口１３を矩形に形成してあり、ダストカバー４０をローダシャーシ１０に取り付けたときには、閉じ板片８０が開口１３の内側に差し込まれてその開口１３を塞ぐようになっている。
【００３０】
以上のように構成されているディスク装置の防塵構造によれば、通常時には、開口１３が閉じ板片８０で塞がれているために、その開口１３からローダシャーシ１０の内部に侵入するという事態が防止される。また、異常発生時、たとえばディスクトレイ２０によってローダシャーシ１０の内部に搬入されたディスクが詰まって取り出すことができなくなったような異常発生時には、ローダシャーシ１０からダストカバー４０を取り外すと、閉じ板片８０も開口１３から引き抜かれて離脱するので開口１３が開く。そのため、作業者はその開口１３から手の指を入れて歯車３０を手動で所定方向に回転させることができるようになり、そうすることによって、ディスクトレイ２０の位置決め状態を解除してディスクトレイ２０をローダシャーシ１０から引き出したり、詰まったディスクをディスクトレイ２０と共にローダシャーシ１０から搬出することが可能になる。また、ディスク装置のメンテナンス時にも、開いた開口１３を利用してディスクトレイ２０を手動で出し入れすることが可能になる。
【００３１】
図１〜図３を参照して説明した実施形態では、閉じ板片８０をダストカバー４０に設けた事例を説明したけれども、本発明では、閉じ板片を上記した上部部分のうちの１つに具備させることも可能である。その事例を採用した他の実施形態の要部を図４に示してある。
【００３２】
図４は他の実施形態の要部を説明的に示した概略斜視図である。同図の実施形態では、図１に示した補強板６０を利用して閉じ板片８０を上部部品に設けてある。具体的には、補強板６０の端部を直角に折り曲げて下向きの閉じ板片８０を形成してある。そして、補強板６０の長手方向の２箇所に備わっているビス止め片６１，６２（図１参照）を、ローダシャーシ１０の２箇所に設けられているねじ止め用のボス１５，１６にビス止めすることによって、閉じ板片８０が開口１３に装着されてその開口１３を塞ぐようになっている。
【００３３】
図５は閉じ板片８０が開口１３を塞いでいる状態を縦断面で示した説明図、図６は閉じ板片８０を離脱させて開口１３を開いた状態を縦断面で示した説明図である。この事例では、図５のように閉じ板片８０が開口１３の内側に差し込まれてその開口１３を塞いでいる。また、開口１３を開いた状態では、図６のように、作業者はその開口１３から手の指Ｆを入れて歯車３０を手動で所定方向に回転させることができるようになり、そうすることによって、ディスクトレイ２０の位置決め状態を解除してディスクトレイ２０をローダシャーシ１０から引き出したり、詰まったディスクをディスクトレイ２０と共にローダシャーシ１０から搬出することが可能になる。また、ディスク装置のメンテナンス時にも、開いた開口１３を利用してディスクトレイ２０を手動で出し入れすることが可能になる。
【００３４】
図４〜図６を参照して説明した実施形態では、上部部品の中から補強板６０を選択し、その補強板６０に閉じ板片８０を折り曲げて形成した事例を説明したけれども、閉じ板片８０を設ける上部部品は補強板６０に限定されない。たとえば、図１に示した板金製のシールドカバー７０を選択して、そのシールドカバー７０に閉じ板片を折り曲げて具備させても、あるいは、既述したカバー蓋を選択して、そのカバー蓋に閉じ板片を合成樹脂で一体成形しておいてもよい。
【００３５】
以上説明した実施形態ないし事例は、閉じ板片８０を単独部品として構成しているものではなく、ダストカバー４０又は上部部品の少なくとも１つに閉じ板片を一体に具備させるというものである。このように閉じ板片８０をダストカバー４０又は上部部品の少なくとも１つに具備させておくと、部品点数削減効果が得られて、部品コストの高騰が回避され、ディスク装置の組立ラインでの組立作業性ないし量産性が阻害されにくいという利点がある。
【００３６】
また、ダストカバー４０に閉じ板片８０を一体に設けた場合には、ダストカバー４０をローダシャーシ１０から取り外すことによって閉じ板片８０が開口１３から離脱する。これに対し、上部部品の１つに閉じ板片８０を一体に設けた場合には、その上部部品をローダシャーシ１０から取り外すことによって閉じ板片８０が開口１３から離脱する。そして、これら両者についての作業性を対比すると、上部部品の１つに閉じ板片８０を一体に設けた場合の方が、ダストカバー４０に閉じ板片８０を一体に設けた場合よりも改善されていることが判った。
【００３７】
すなわち、ダストカバー４０はローダシャーシ１０に取り付けられてその開放されている下面を塞ぐ部材であるため、ダストカバー４０をローダシャーシ１０に結合している結合手段、具体的には図１に示した取付け取外し機構５０の操作を、ローダシャーシ１０の下部で行うことを余儀なくされる。そして、その取付け取外し機構５０を介してダストカバー４０をローダシャーシ１０に取り付けるときには、複数の取付け片５２を複数箇所のフック５１の相互間に押し込んでそれらのフック５１を複数の取付け片５２に各別に乗り上がらせるという作業を行う必要がある。また、ダストカバー４０をローダシャーシ１０から取り外すときには、作業者が手の指で複数のフック５のそれぞれを外側に向けて弾性変形させて複数の取付け片５２を離脱させた後、それらの取付け片５２を複数のフック５からその上方へ引き出すという作業を行う必要がある。そのため、ダストカバー４０の取付け取外し作業は比較的煩雑で面倒であるということが云える。
【００３８】
これに対し、上部部品はローダシャーシ１０の上部に対する取付け取外し作業を行うことによって取付け取外しが行われる。そのため、ダストカバー４０をローダシャーシ１０に対して取り付けたり取り外したりする作業に比べて、上部部品をローダシャーシ１０の上部に対して取り付けたり取り外したりする作業の方が容易であるということが云える。したがって、上部部品に閉じ板片８０を設けておけば、煩わしくて面倒な操作を行ってダストカバー４０をローダシャーシ１０から取り外すという工程を行わずに、開口１３を開いて歯車３０を手動操作することができるという利点がある。
【図面の簡単な説明】
【００３９】
【図１】本発明の実施形態に係る防塵構造を備えたディスク装置の概略分解斜視図である。
【図２】同防塵構造に採用されているダストカバーの概略斜視図である。
【図３】ローダシャーシ側の開口とダストカバーに設けられている閉じ板片とを示した分解斜視図である。
【図４】他の実施形態の要部を説明的に示した概略斜視図である。
【図５】他の実施形態に係る閉じ板片が開口１３を塞いでいる状態を縦断面で示した説明図である。
【図６】他の実施形態に係る閉じ板片を離脱させて開口を開いた状態を縦断面で示した説明図である。
【符号の説明】
【００４０】
１０  ローダシャーシ
１１  ローダシャーシの枠板部
１２  横架部
１３  開口
２０  ディスクトレイ
３０  歯車
４０  ダストカバー
５３  第１係脱機構
５４  係合爪
５５  被係合部
６０  補強板（上部部品）
７０  シールドカバー
８０  閉じ板片
【図１】
2009093737.tif 000003
【図２】
2009093737.tif 000004
【図３】
2009093737.tif 000005
【図４】
2009093737.tif 000006
【図５】
2009093737.tif 000007
【図６】
2009093737.tif 000008